(57)【要約】      （修正有）【課題】家具等に対する取り付け作業と索体の張力調節作業を容易に行うことができる家具等の転倒防止装置を提供する。【解決手段】取付ベース２と、この取付ベース２に設けられた転倒防止機構３とを備えており、この転倒防止機構３が、取付ベース２の内部に回転自在に収納された巻き胴７と、この巻き胴７に対して巻き付けられた索体８と、この索体８が移動するのを規制すべく索体固定部９と、この固定部９による規制を解除する操作が可能な操作部材１０とから構成されている家具等の転倒防止装置において、前記巻き胴７、索体８、索体固定部９及び操作部材１０よりなる転倒防止機構３を一つの取付ベース２に対して左右一対設け、左側の前記転倒防止機構３の索体引き出し方向ａと右側の前記転倒防止機構３の索体引き出し方向ｂとが直角以上の角度で交差した状態となるように、当該両転倒防止機構３を構成する各部材７〜９を取付ベース２に左右対称状に配置する。【選択図】      図１
2004358191.tif 000002
【特許請求の範囲】
【請求項１】
取付ベースと、この取付ベースに設けられた転倒防止機構とを備えており、この転倒防止機構が、前記取付ベースの内部に回転自在に収納された巻き胴と、この巻き胴に対して巻き取り及び引き出し可能となるように巻き付けられた索体と、この索体が巻き取り方向に移動するのは許容しかつ引き出し方向に移動するのを規制すべく前記取付ベースに設けられた索体固定部と、この固定部による規制を解除するように操作可能な操作部材とから構成されている家具等の転倒防止装置において、
前記巻き胴、索体、索体固定部及び操作部材よりなる前記転倒防止機構が一つの前記取付ベースに対して左右一対設けられており、左側の前記転倒防止機構の索体引き出し方向と右側の前記転倒防止機構の索体引き出し方向とが直角以上の角度で交差した状態となるように、当該両転倒防止機構を構成する前記各部材が前記取付ベースに左右対称状に配置されていることを特徴とする家具等の転倒防止装置。
【発明の詳細な説明】
【０００１】
【発明の属する技術分野】
本発明は、たんす、書棚、食器棚などの家具類、事務所などで使用される書庫、ロッカー等の転倒防止装置に関する。
【０００２】
【従来の技術】
従来より、上記の家具等が地震によって転倒するのを防止するための転倒防止装置として、例えば、特許文献１に記載されたものがあり、この転倒防止装置は、家具等の天板又は壁面に取り付け可能な取付ベースと、この取付ベースに設けられた転倒防止機構とを備えている。
【０００３】
そして、上記転倒防止機構は、取付ベースの内部に回転自在に収納された巻き胴と、この巻き胴に対して巻き取り及び引き出し可能となるように巻き付けられた索体と、この索体が巻き取り方向に移動するのは許容しかつ引き出し方向に移動するのを規制すべく前記取付ベースに設けられた索体固定部と、この固定部による規制を解除するように操作可能な操作部材とから構成されている。
【特許文献１】
特許第３０４６７０５号公報（請求項１）
【０００４】
【発明が解決しようとする課題】
上記従来の転倒防止装置では、一つの取付ベースに対して転倒防止機構（巻き胴、索体、索体固定部及び操作部材）が一つしか設けられていないので、家具等の転倒を確実に防止するには、一つの家具に対してその天板上の離れた位置に当該転倒防止装置の取付ベース（または、索体の固定金具）をそれぞれ別個に取り付ける必要があり、その取り付け作業が煩雑であった。
【０００５】
また、互いに遠く離れた位置に各転倒防止装置の取付ベースを取り付ける必要があるため、両転倒防止装置の取付ベースの取り付け作業が終わったあとにおいて、索体の張力を調節する作業も煩雑になるという欠点もあった。
そこで、本発明の課題は、家具等に対する取り付け作業と索体の張力調節作業を容易に行うことができる家具等の転倒防止装置を提供する点にある。
【０００６】
【課題を解決するための手段】
かかる課題を達成するため、本発明は、前記した家具等の転倒防止装置において、前記巻き胴、索体、索体固定部及び操作部材よりなる前記転倒防止機構が一つの前記取付ベースに対して左右一対設けられており、左側の前記転倒防止機構の索体引き出し方向と右側の前記転倒防止機構の索体引き出し方向とが直角以上の角度で交差した状態となるように、当該両転倒防止機構を構成する各部材が前記取付ベースに対して左右対称状に配置されていることを特徴とする。
【０００７】
本発明によれば、転倒防止機構が一つの取付ベースに対して左右一対設けられており、左右の索体の引き出し方向が直角以上の角度で交差した状態となるように、当該両転倒防止部材を構成する各部材が前記取付ベースに対して左右対称状に配置されているので、当該転倒防止装置の取付ベースを起点として二股状に分かれるように両索体を引き出すことができる。このため、例えば、家具等の天板に取り付けられた転倒防止装置の取付ベースから二股状に引き出した両索体の先端部のフックをそれぞれ壁に設けた固定金具に引っ掛けることにより、一つの転倒防止装置だけで家具等の転倒を適切に防止できるようになる。
【０００８】
【実施例】
以下、本発明の実施例を図面に基づき説明する。
図１及び図２に示すように、本実施例の転倒防止装置１は、金属製の取付ベース２と、この取付ベース２に設けられた左右一対の転倒防止機構３とを備えている。
【０００９】
取付ベース２は、平面視ほぼＶ字状を呈する厚板材よりなり、その厚さ方向に貫通するねじ挿通孔２Ａを中央部と左右両側の縁部に備えている。また、取付ベース２の左右両端縁には、索体８の引き出し口５が形成され、当該取付ベース２の外側縁には、コの字状に屈曲形成された左右一対の引っ掛け枠６が左右対称状に固定されている。
【００１０】
左右一対の転倒防止機構３は、取付ベース２の内部に回転自在に収納された巻き胴７と、この巻き胴７に対して巻き取り及び引き出し可能となるように巻き付けられた索体８と、この索体８が巻き取り方向に移動するのは許容しかつ引き出し方向に移動するのを規制すべく取付ベース２に設けられた索体固定部９と、この固定部９による規制を解除するように操作可能な操作部材１０とから構成されている。
【００１１】
このうち、左右の巻き胴７は、取付ベース２の中央部に左右対称状に配置された厚さ方向に貫通するガイド孔１１に回転自在に挿通されている。この巻き胴７の軸心方向両端部には当該巻き胴７をガイド孔１１から抜け止めするための表面円板１２と裏面円板１３が設けられ、表面円板１２の中心部には、十字溝よりなる工具係合部１４が形成されている。
【００１２】
前記索体固定部９は、取付ベース２における巻き胴７と引き出し口５の間の部分に形成された取付溝１５（図２参照）に収納されている。この固定部９は、索体８が挿通されかつボールチャック機構が内装された金属筒体よりなり、このボールチャック機構は、索体８が巻き取り方向に移動するのは許容するが、引き出し方向に移動するのを規制するようになっている。
【００１３】
また、本実施例の索体固定部９には、上記ボールチャック機構による規制を解除するように操作可能な前記操作部材１０が設けられている。なお、かかる操作部材１０付きの索体固定部９の具体的な構造は、従来技術（特許第３０４６７０５号公報）の場合と同様であるため詳細な説明を省略する。
各索体８は、多数のスチールコードを縒り合わせて作製されたワイヤーロープよりなり、この各索体８の先端部には固定金具１６（図３参照）に着脱自在に引っ掛けることができる引っ掛けフック１７が取り付けられている。
【００１４】
そして、本実施例の転倒防止装置１では、左側の転倒防止機構３の索体引き出し方向ａと右側の前記転倒防止機構の索体引き出し方向ｂとがほぼ直角に交差した状態となるように、当該両転倒防止機構３を構成する各部材７〜９が取付ベース２に対して左右対称状に配置されていて、これにより、取付ベース２を起点としてほぼ直角二股状に分かれるように両索体８を引き出せるようになっている。なお、両引き出し方向ａ，ｂ間の交差角度は、９０度以上でかつ１２０度以下程度に設定することが望ましい。
【００１５】
このため、例えば図３に示すように、家具１９の天板２０に本実施例の転倒防止装置１を取り付け、この転倒防止装置１の取付ベース２から二股状に引き出した両索体８のフック１７を、壁側に固定された固定金具１６にそれぞれ引っ掛けることにより、一つの転倒防止装置１だけで家具１９の転倒を適切に防止できるようになる。
【００１６】
従って、本実施例の転倒防止装置１によれば、一つの家具１８に対して二つ又はそれ以上の転倒防止装置１を取り付ける必要がないので、当該転倒防止装置１の取り付け作業が容易になるとともに、両巻き胴７が同じ一つの取付ベース２に配置されているので、当該取付ベース２の取り付け作業が終わったあとに行う両索体８の張力を調節する作業も容易になる。
【００１７】
なお、本発明は上記実施例に限定されるものではなく、適宜設計変更することができる。例えば、ワイヤロープに代えて合成樹脂等のロープを採用し、一部又は全部の材料を合成樹脂製とすることができる。
また、固定金具１６を家具１９側に取り付け、転倒防止装置１の取付ベース３を壁側に取り付けることにしてもよい。
【００１８】
【発明の効果】
上述の通り、本発明によれば、一つの転倒防止装置だけで家具等の転倒を適切に防止することができるので、家具等に対する取り付け作業と索体の張力調節作業が容易になる。
【図面の簡単な説明】
【図１】本発明の転倒防止装置の平面図である。
【図２】（Ａ）は同転倒防止装置を図１の下から見た場合の正面図であり、（Ｂ）は図１のＡ−Ａ線断面図である。
【図３】当該転倒防止装置の使用状態の一例を示す斜視図である。
【符号の説明】
１    転倒防止装置
２    取付ベース
３    転倒防止機構
７    巻き胴
８    索体
９    索体固定部
１０    操作部材
ａ    引き出し方向
ｂ    引き出し方向
【図１】
2004358191.tif 000003
【図２】
2004358191.tif 000004
【図３】
2004358191.tif 000005